(57)【要約】【課題】給湯使用後の給湯混合弁の停止位置に伴う、次回給湯使用時の高温出湯を未然に防止することを目的としたものである。【解決手段】貯湯タンク１１からの湯と給水管からの水を混合して所定温度に調節する給湯混合弁２２と、混合湯温を検出する給湯温度センサ２３と、混合流量を検出する給湯流量センサ２２を有した給湯回路と、要求温度に応じて前記給湯回路の湯温を制御する制御装置４１とを備え、前記制御装置は、給湯流量センサ２２がＯＮからＯＦＦの信号を発生したとき所定時間を計時する計時手段を設け、前記計時手段が所定時間を計時すると前記給湯混合弁２１を所定の開度に変更するようにしたものである。【選択図】図１
2005265369.tif 000002
【特許請求の範囲】
【請求項１】
貯湯タンクからの湯と給水管からの水を混合して所定温度に調節する給湯混合弁と、混合湯温を検出する給湯温度センサと、混合流量を検出する給湯流量センサを有した給湯回路と、要求温度に応じて前記給湯回路の湯温を制御する制御装置とを備え、前記制御装置は、給湯流量センサがＯＮからＯＦＦの信号を発生したとき所定時間を計時する計時手段を設け、前記計時手段が所定時間を計時すると前記給湯混合弁を所定の開度に変更するようにした貯湯式温水器。
【請求項２】
制御装置は、計時手段が所定時間を計時すると、給湯混合弁を水側開度が開くように変更する請求項１記載の貯湯式温水器。
【請求項３】
制御装置は、給湯混合弁の開度が予め設定した開度より湯側に開いているとき、計時手段が所定時間を計時すると前記給湯混合弁を設定開度に戻すように変更する請求項１または２記載の貯湯式温水器。
【請求項４】
制御装置は、計時手段が所定時間を計時すると、給湯混合弁を所定時間水側開度が開くように変更する請求項１記載の貯湯式温水器。
【請求項５】
貯湯タンクからの湯と給水管からの水を混合して所定温度に調節する給湯混合弁と、混合湯温を検出する給湯温度センサと、混合流量を検出する給湯流量センサを有した給湯回路と、貯湯タンクからの湯と給水管からの水を混合して風呂湯張り湯温を調節する風呂混合弁と、風呂湯張り温度を検出する風呂湯張り温度センサと、風呂湯張り流量を検出する風呂流量センサと、注湯弁を有した風呂湯張り回路と、要求温度に応じて前記給湯回路と風呂湯張り回路の湯温を制御する制御装置とを備え、前記制御装置は、給湯回路と風呂湯張り回路の同時使用が発生し、かつ、同時使用時の条件が所定の条件を満たしているとき、給湯流量センサがＯＮからＯＦＦの信号を発生すると、前記給湯混合弁を所定の開度に変更するようにした貯湯式温水器。
【請求項６】
制御装置は、給湯回路と風呂湯張り回路の同時使用時、給湯流量センサが所定流量以下、風呂流量センサが所定流量以上、風呂湯張り温度センサが所定温度以上を所定時間継続して検出したとき、給湯流量センサがＯＮからＯＦＦの信号を発生すると、給湯混合弁を所定の開度に変更するようにした請求項５記載の貯湯式温水器。
【請求項７】
制御装置は、給湯流量センサがＯＮからＯＦＦの信号を発生すると、給湯混合弁を水側開度が開くように変更する請求項５または６記載の貯湯式温水器。
【請求項８】
制御装置は、給湯混合弁の開度が予め設定した開度より湯側に開いているとき、前記給湯混合弁を設定開度に戻すように変更する請求項５または６記載の貯湯式温水器。
【請求項９】
制御装置は、給湯流量センサがＯＮからＯＦＦの信号を発生すると、給湯混合弁を所定時間水側開度が開くように変更する請求項５または６記載の貯湯式温水器。
【請求項１０】
制御装置は、給湯回路と風呂湯張り回路の同時使用時に、予め設定した条件を満たしていると判断した後、前記条件のうち１つでも外れた場合が所定時間継続すると、給湯流量センサがＯＮからＯＦＦの信号を発生しても給湯混合弁の開度変更を行わないようにした請求項５または６記載の貯湯式温水器。
【発明の詳細な説明】
【技術分野】
【０００１】
本発明は、貯湯式温水器の混合弁を用いた給湯制御に関するものである。
【背景技術】
【０００２】
近年、台所等への一般給湯動作の他に、風呂装置にも多様な機能が求められている。例えば、設定水位まで自動的に湯水を落とし込む自動風呂湯張り機能、風呂湯水を好みの温度まで焚き上げる追い焚き機能、市水からの入水を一定量風呂に落とし込んで風呂湯水温度を低下させるぬるめ機能、加熱された湯水を一定量風呂に落とし込む足し湯機能等がある。そこで、上記の多様な機能に対応させるため、貯湯タンクからの出湯経路として２系統の給湯配管回路を設けることにより、一般給湯と風呂給湯を同時に使用できるようになっている（特許文献１参照）。
【特許文献１】特開２００２−４８４０９号公報
【発明の開示】
【発明が解決しようとする課題】
【０００３】
従来構成において、混合弁の制御は給湯単独あるいは給湯と風呂湯張りの同時使用において、再出湯時の温度変化をなくすため使用停止後は停止直前に設定された開度に保持されている。しかしながら、貯湯タンクの残湯温度が徐々に下がったり、湯切れするまで給湯回路単独で出湯した場合、給湯混合弁は要求温度を満足させるべく湯側全開方向に開度を調節されることになる。その後、貯湯タンクの沸き上げ動作が行われ、貯湯タンクに高温水が満たされた状態で給湯使用をを再開すると、混合湯温制御が開始される初期において、給湯混合弁は湯側全開位置に近い状態で出湯されることになり、短時間ではあるが蛇口から予想外の高温水が出湯される。さらに、上記状況で貯湯タンクの沸き上げ後、給湯混合弁が故障したり、給湯流量センサが故障すると、給湯混合弁の制御ができず湯側全開位置に近い状態で保持され、貯湯タンクの高温水が連続的に出湯され危険である。
【０００４】
また、給湯回路と風呂湯張り回路が同時に使用された場合、風呂湯張り条件によって給湯混合弁が湯側全開方向に開度を調節し、その状態で給湯使用を停止すると、給湯混合弁の開度は湯側全開付近の位置で停止したままとなる。その後、給湯単独使用が行われると、混合湯温制御が開始される初期において、給湯混合弁は湯側全開位置に近い状態で出湯されることになり、短時間ではあるが蛇口から予想外の高温水が出湯される。さらに、上記状況で、給湯混合弁が故障したり、給湯流量センサが故障すると、給湯混合弁の制御ができず湯側全開位置に近い状態で保持され、貯湯タンクの高温水が連続的に出湯され危険である。
【０００５】
以上のように、給湯混合弁が、設定した条件以外の条件で動作することになり、高温出湯など予想外の結果を招く恐れがある。
【０００６】
そこで本発明は、上記の如く貯湯タンクの沸き上げ後や風呂湯張り回路が同時に使用された後の単独使用時や、給湯混合弁もしくは、給湯流量センサの故障があった場合でも、事前に給湯混合弁を安全側に動作させることで、予想外の高温出湯を防止し、安全な貯湯式温水器を提供することを目的としたものである。
【課題を解決するための手段】
【０００７】
前記従来の課題を解決するため、本発明の貯湯式温水器は、貯湯タンクからの湯と給水管からの水を混合して所定温度に調節する給湯混合弁と、混合湯温を検出する給湯温度センサと、混合流量を検出する給湯流量センサを有した給湯回路と、要求温度に応じて前記給湯回路の湯温を制御する制御装置とを備え、前記制御装置は、給湯流量センサがＯＮからＯＦＦの信号を発生したとき所定時間を計時する計時手段を設け、前記計時手段が所定時間を計時すると前記給湯混合弁を所定の開度に変更するようにしたものである。
【０００８】
これによって、給湯使用後の給湯混合弁の停止位置に伴う、次回給湯使用時の高温出湯を未然に防止することができる。例えば、貯湯タンクが湯切れするまで給湯回路単独で出湯した場合、給湯混合弁は要求温度を満足させるべく湯側全開方向に開度を調節し、その状態で給湯使用を停止すると、給湯混合弁の開度は湯側全開付近の位置で停止したままとなる。その後、貯湯タンクの沸き上げ動作が行われ、貯湯タンク内に高温水が満たされた状態で給湯使用を再開すると、混合湯温制御が開始される初期において、給湯混合弁は湯側全開位置に近い状態で出湯されることになり、短時間ではあるが蛇口から予想外の高温水が出湯される。そこで、本発明は、給湯流量センサがＯＮからＯＦＦの信号を発生したとき、つまり、給湯使用停止後、所定時間経過すると給湯混合弁の開度を変更して、次回給湯使用時に、貯湯タンクから供給される湯の温度に関係なく、蛇口から予想外の高温水が出湯されないようにしたものである。
【０００９】
また、本発明の貯湯式温水器は、給湯混合弁を有した給湯回路に加え、貯湯タンクからの湯と給水管からの水を混合して風呂湯張り湯温を調節する風呂混合弁と、風呂湯張り温度を検出する風呂湯張り温度センサと、風呂湯張り流量を検出する風呂流量センサと、注湯弁を有した風呂湯張り回路と、要求温度に応じて前記給湯回路と風呂湯張り回路の湯温を制御する制御装置とを備え、前記制御装置は、給湯回路と風呂湯張り回路の同時使用が発生し、かつ、同時使用時の条件が所定の条件を満たしているとき、給湯流量センサがＯＮからＯＦＦの信号を発生すると、前記給湯混合弁を所定の開度に変更するようにしたものである。
【００１０】
これによって、給湯回路と風呂湯張り回路が同時に使用された場合、風呂湯張り条件によって給湯混合弁が湯側全開方向に開度を調節し、その状態で給湯使用を停止すると、給湯混合弁の開度は湯側全開付近の位置で停止したままとなる。その後、給湯単独使用が行われると、混合湯温制御が開始される初期において、給湯混合弁は湯側全開位置に近い状態で出湯されることになり、短時間ではあるが蛇口から予想外の高温水が出湯される。そこで、本発明は、給湯回路と風呂湯張り回路が同時に使用され、かつ、同時使用時の条件が所定の条件を満たしているときは、給湯流量センサがＯＮからＯＦＦの信号を発生すると、給湯混合弁の開度を変更して、次回給湯使用時に蛇口から予想外の高温水が出湯されないようにしたものである。
【発明の効果】
【００１１】
本発明の貯湯式温水器は、給湯使用停止後、給湯混合弁の開度を水側に変更して、次回給湯使用時に、蛇口から予想外の高温水が出湯されないようにすることで、安全で使い勝手のよい貯湯式温水器を提供できる。
【発明を実施するための最良の形態】
【００１２】
第１の発明は、貯湯タンクからの湯と給水管からの水を混合して所定温度に調節する給湯混合弁と、混合湯温を検出する給湯温度センサと、混合流量を検出する給湯流量センサを有した給湯回路と、要求温度に応じて前記給湯回路の湯温を制御する制御装置とを備え、前記制御装置は、給湯流量センサがＯＮからＯＦＦの信号を発生したとき所定時間を計時する計時手段を設け、前記計時手段が所定時間を計時すると前記給湯混合弁を所定の開度に変更するようにしたもので、給湯使用後の給湯混合弁の停止位置に伴う、次回給湯使用時の高温出湯を未然に防止することができる。
【００１３】
第２の発明は、制御装置は計時手段が所定時間を計時すると、給湯混合弁を水側開度が開くように変更するもので、給湯使用停止後所定時間経過すると給湯混合弁の開度を水側に開いた状態で停止させ、、次回給湯使用時に貯湯タンクから高温水が供給されても適度に混合された湯を供給することで高温出湯を未然に防止することができる。
【００１４】
第３の発明は、制御装置は給湯混合弁の開度が予め設定した開度より湯側に開いているとき、計時手段が所定時間を計時すると前記給湯混合弁を設定開度に戻すように変更するもので、給湯使用停止後の給湯混合弁の開度状態に応じて停止位置を変更することで、不必要な給湯混合弁の停止位置変更制御を行わず、次回給湯使用時に設定された要求温度に基づく混合湯制御が可能となり使い勝手の向上が図れるとともに、給湯使用停止時の給湯混合弁の停止位置が湯側全開位置近くで停止した場合の次回給湯使用時の高温出湯を未然に防止することができる。
【００１５】
第４の発明は、制御装置は計時手段が所定時間を計時すると、給湯混合弁を所定時間水側開度が開くように変更するもので、給湯使用停止後所定時間経過すると給湯混合弁の開度を予め定めた所定時間だけ水側に開いた状態で停止させ、次回給湯使用時に貯湯タンクから高温水が供給されても適度に混合された湯を供給することで、高温出湯を未然に防止することができるとともに、簡単な回路で実現できる。
【００１６】
第５の発明は、貯湯タンクからの湯と給水管からの水を混合して所定温度に調節する給湯混合弁と、混合湯温を検出する給湯温度センサと、混合流量を検出する給湯流量センサを有した給湯回路と、貯湯タンクからの湯と給水管からの水を混合して風呂湯張り湯温を調節する風呂混合弁と、風呂湯張り温度を検出する風呂湯張り温度センサと、風呂湯張り流量を検出する風呂流量センサと、注湯弁を有した風呂湯張り回路と、要求温度に応じて前記給湯回路と風呂湯張り回路の湯温を制御する制御装置とを備え、前記制御装置は、給湯回路と風呂湯張り回路の同時使用が発生し、かつ、同時使用時の条件が所定の条件を満たしているとき、給湯流量センサがＯＮからＯＦＦの信号を発生すると、前記給湯混合弁を所定の開度に変更するようにしたもので、給湯回路と風呂湯張り回路が同時に使用され、かつ、同時使用時の条件が所定の条件を満たしているときは、給湯流量センサがＯＮからＯＦＦの信号を発生すると、給湯混合弁の開度を変更して、次回給湯使用時に蛇口から予想外の高温水が出湯されないようにすることで、安全で使い勝手のよい貯湯式温水器を提供できる。
【００１７】
第６の発明は、制御装置は給湯回路と風呂湯張り回路の同時使用時、給湯流量センサが所定流量以下、風呂流量センサが所定流量以上、風呂湯張り温度センサが所定温度以上を所定時間継続して検出したとき、給湯流量センサがＯＮからＯＦＦの信号を発生すると、給湯混合弁を所定の開度に変更するようにしたもので、風呂湯張り回路に貯湯タンクの高温水が多く流れるような条件で同時使用された場合、給湯使用停止後に給湯混合弁の開度補正をすることで、次回給湯単独使用時の蛇口からの高温出湯を未然に防止することができる。
【００１８】
第７の発明は、制御装置は給湯流量センサがＯＮからＯＦＦの信号を発生すると、給湯混合弁を水側開度が開くように変更するもので、風呂湯張り回路に貯湯タンクの高温水が多く流れるような条件で同時使用された場合、給湯使用停止後に給湯混合弁の開度を水側に開いた状態で停止させることで、次回給湯単独使用時に貯湯タンクから高温水が供給されても適度に混合された湯を供給することで、高温出湯を未然に防止することができる。
【００１９】
第８の発明は、制御装置は給湯混合弁の開度が予め設定した開度より湯側に開いているとき、前記給湯混合弁を設定開度に戻すように変更するもので、風呂湯張り回路に貯湯タンクの高温水が多く流れるような条件で同時使用された場合、給湯使用停止後の給湯混合弁の開度状態に応じて停止位置を変更することで、不必要な給湯混合弁の停止位置変更制御を行わず、次回給湯使用時に設定された要求温度に基づく混合湯制御が可能となり使い勝手の向上が図れるとともに、給湯使用停止時の給湯混合弁の停止位置が湯側全開位置近くで停止した場合の次回給湯使用時の高温出湯を未然に防止することができる。
【００２０】
第９の発明は、制御装置は給湯流量センサがＯＮからＯＦＦの信号を発生すると、給湯混合弁を所定時間水側開度が開くように変更するもので、風呂湯張り回路に貯湯タンクの高温水が多く流れるような条件で同時使用された場合、給湯使用停止後に給湯混合弁の開度を予め定めた所定時間だけ水側に開いた状態で停止させ、次回給湯使用時に貯湯タンクから高温水が供給されても適度に混合された湯を供給することで、高温出湯を未然に防止することができるとともに、簡単な回路で実現できる。
【００２１】
第１０の発明は、制御装置は給湯回路と風呂湯張り回路の同時使用時に、予め設定した条件を満たしていると判断した後、前記条件のうち１つでも外れた場合が所定時間継続すると、給湯流量センサがＯＮからＯＦＦの信号を発生しても給湯混合弁の開度変更を行わないようにしたもので、風呂湯張り回路に貯湯タンクの高温水が多く流れるような条件で同時使用された場合でも途中で使用条件が変更された場合は、給湯使用停止後に給湯混合弁の開度補正を行わず、不必要な制御を省くことで、次回使用時の使い勝手の良さを確保しつつ、制御構成の簡素化を図ることができる。
【００２２】
以下、本発明の実施の形態について、図面を参照しながら説明する。なお、本実施の形態によって本発明が限定されるものではない。
【００２３】
（実施の形態１）
図１は、本発明の第１の実施の形態における貯湯式温水器の構成図、図２は制御ブロック図である。
【００２４】
図において、１０は給水配管、１１は給水配管１０を底部に接続した貯湯タンクで、１２は減圧弁で貯湯タンク１１の水圧を減圧するようになっている。また、貯湯タンク１１には、貯湯タンク１１内の大容量の水を加熱する電気ヒータ１３が配設されている。なお、本実施の形態においては加熱手段として電気ヒータ１３を用いたもので説明するが、加熱手段としてヒートポンプユニットを用い、貯湯タンク１１の下部より取り込んだ水を前記ヒートポンプユニットで加熱後、貯湯タンク１１の上部より供給して積層状態で貯湯するような貯湯式温水器でも可能である。
【００２５】
１４は貯湯タンク１１の上部に接続した出湯配管で、給湯用の給湯混合弁２１の湯側に接続されている。給湯混合弁２１の水側は、減圧弁１２を介して給水配管１０に接続されている。給湯混合弁２１の出口は、給湯流量センサー２２を介して所定の場所、例えば台所や浴室の給湯口等へとつながっている。２３は給湯温度センサで、給湯混合弁２１の出湯温度を検出する。出湯配管１４から出湯すると、それに伴い給水配管１０から貯湯タンク１１内に水が給水される。この際、貯湯タンク１１内では比重差から湯が上部、水が下部に分離した状態で溜まるようになっている。また、電気ヒータ１３は、貯湯タンクの水を加熱して、貯湯タンク１１全体を沸き上げるようになっている。
【００２６】
制御装置４１は、制御手段４１ａとタイマー手段４１ｂで構成され。制御手段４１ａは、給湯流量センサ２２からの流量  、給湯温度センサ２３からの給湯温度、台所リモコン２４からの給湯温度設定が入力され、出力は、給湯混合弁２１に接続されている。タイマー手段４１ｂは、給湯流量センサ２２からの流量が入力され、給湯流量がＯＮからＯＦＦになると、あらかじめ設定された所定時間をカウントし制御手段４１ａにカウントアップ信号を出力し、給湯流量がＯＦＦからＯＮになるとカウントを停止しカウント値をリセットするように構成されている。
【００２７】
制御装置４１は、給湯口が開けられ、給湯流量センサ２２からの検知信号を入力すると給湯混合弁２１が作動し、給湯温度がリモコン２４で設定された給湯温度設定になるように給湯混合弁２１を駆動制御する。また、制御装置４１は、給湯が停止されると、給湯混合弁２１による温度制御動作を停止し、給湯混合弁２１の作動を停止させる。その後、所定時間給湯が使用されないと、制御装置４１は、タイマー手段４１ｂがカウントアップ信号を制御手段４１ａに出力する。
【００２８】
次に、図３のフローチャートを用いて制御手段４１ａの動作を説明すると、処理５１では給湯流量センサ２３で給湯栓の開を検知すると、処理５２へ進み給湯混合弁２１を給湯温度が台所リモコン２４で設定された設定温度となるよう開度を制御し処理５３へ進む。給湯栓が閉となると給湯流量センサの出力はＯＦＦとなり処理５３へ進む。処理５３では、タイマー手段４１ｂのタイムアップ出力を判定し、タイムアップしていなければ給湯混合弁２１の処理をせず抜けて行く。したがって、給湯混合弁２１は停止し給湯時の開度が保持される。処理５３でタイマー手段４１ｂがタイムアップすると、処理５３から処理５４へ進む。処理５４では、給湯混合弁２１を所定の所定の開度にする。
【００２９】
具体的には、タイマー手段４１ｂの所定時間は、給湯終了後貯湯タンク１１から給湯栓の配管にある残水の温度が十分冷却される時間とし、例えば１時間とする。給湯混合弁２１の所定の開度は貯湯タンク１１の最高温度と給水温度の最高温度で給湯した時にやけどをしない給湯温度に設定する。例えば、それぞれ９０℃、３０℃、６０℃とすると給湯混合弁の開度は５０％以下であれば出湯温度が６０℃を超えることは無い。この条件で考えると、貯湯タンク１１の残湯温度が給湯使用や放熱により徐々に下がり６０℃となり、設定温度が４５℃とする。制御手段４１ａは、給湯栓が開かれると給湯流量センサー２２からの信号により出湯されたことを検知し給湯混合弁２１を処理５２で制御し設定温度４５℃になるように開度が調節される。湯側、水側の流量が同じとすると、開度は水側基準として（４５℃−１５℃）÷（６０℃−１５℃）≒０．６６となり６６％となる。その後貯湯タンク１１が電気ヒータ１３で沸き上げられタンクの温度が数時間後９０℃となるが、給湯終了１時間後に制御手段４１ａは、タイマー手段４１ｂの出力を受け、処理５４で給湯混合弁２１を所定の開度（例えば５０％）にする。したがって、沸き上げ完了後給湯栓が開かれても、給湯混合弁２１の開度は５０％となっているので、（９０℃−１５℃）×０．５＋１５℃≒５３℃となり、初期５３℃のお湯が給湯される、一般的に６０℃以下であればすぐにやけどする心配は無く不安全にはならない。
【００３０】
通常は、所定時間以内であれば給湯混合弁の開度は前回給湯時のままであり、給湯温度はすぐに設定温度となる。所定時間以上の場合であっても給湯開始時は、貯湯タンクと給湯栓間の残水が出湯されるため混合弁の温度制御が若干遅れても、残水部分か出湯の遅れかは使用者には分からない。
【００３１】
もし、流量センサーが故障して給湯栓の開が検知できなくても所定時間後に安全な開度になるため予想外の高温水が出湯されないので安全である。また、給湯混合弁が突然故障し動作しなくなっても、故障以前に給湯が所定時間停止していれば安全な開度にできる。
【００３２】
（実施の形態２）
図４は本発明の第２の実施の形態における制御手段のフローチャートである。実施の形態１で述べた部分と同じ部分は同一番号を付記して説明を省略し、異なる部分のみを説明する。
【００３３】
処理５１では給湯流量センサ２３で給湯栓の開を検知すると、処理５２へ進み給湯混合弁２１を給湯温度が台所リモコン２４で設定された設定温度となるよう開度を制御する。給湯栓が閉となると給湯流量センサの出力はＯＦＦとなり処理５３へ進む。処理５３では、タイマー手段４１ｂのタイムアップ出力を判定し、タイムアップしていなければ給湯混合弁２１の処理をせず抜けて行く。したがって、給湯混合弁２１は停止し給湯時の開度が保持される。処理５３でタイマー手段４１ｂがタイムアップすると、処理５３から処理５５へ進む。処理５５では、給湯混合弁２１の開度を確認し所定開度以上かどうかを判定し、所定開度以下であれば給湯混合弁２１の処理をせず抜けて行く。処理５５で所定開度以上であれば処理５４に進み、処理５４では、給湯混合弁２１を所定の所定の開度にする。
したがって、処理５５で給湯混合弁の開度を調べて安全な開度であれば動かさないので給湯混合弁の無駄な動きが少なくなり耐久性も向上し、かつ、実施の形態１と同様の効果を得ることができる。
【００３４】
（実施の形態３）
図５は本発明の第３の実施の形態における制御手段のフローチャートである。実施の形態１で述べた部分と同じ部分は同一番号を付記して説明を省略し、異なる部分のみを説明する。
【００３５】
処理５１では給湯流量センサ２３で給湯栓の開を検知すると、処理５２へ進み給湯混合弁２１を給湯温度が台所リモコン２４で設定された設定温度となるよう開度を制御する。給湯栓が閉となると給湯流量センサの出力はＯＦＦとなり処理５３へ進む。処理５３では、タイマー手段４１ｂのタイムアップ出力を判定し、タイムアップしていなければ給湯混合弁２１の処理をせず抜けて行く。したがって、給湯混合弁２１は停止し給湯時の開度が保持される。処理５３でタイマー手段４１ｂがタイムアップすると、処理５３から処理５６へ進む。処理５６では、給湯混合弁２１を所定時間水側に駆動する。
【００３６】
したがって、現在の角度を確認したり、所定の角度を決めたりする処理が必要なく簡単な処理で、実施の形態１と同様の効果を得ることができる。
【００３７】
（実施の形態４）
図６は、本発明の第４の実施の形態における貯湯式温水器の構成図、図７は制御ブロック図である。実施の形態１で述べた部分と同じ部分は同一番号を付記して説明を省略し、異なる部分のみを説明する。
【００３８】
図６において、出湯配管１４は、給湯用の給湯混合弁２１とふろ湯はり用のふろ混合弁３１の湯側に接続されている。ふろ混合弁３１の水側は、減圧弁１２を介して給水配管１０に接続されている。ふろ混合弁３１の出口は、ふろ流量センサー３２、注湯弁３４を介して浴槽につながっている。３３はふろ給湯温度センサで、ふろ混合弁３１の出湯温度を検出する。
【００３９】
制御装置４２は、給湯流量センサ２２からの流量  、給湯温度センサ２３からの給湯温度と、ふろ流量センサ３２からの流量  、ふろ給湯温度センサ３４からのふろ給湯温度、台所リモコン２４からの給湯温度設定、ふろリモコン３５  からのふろ設定温度、ふろ湯はり積算流量がそれぞれ入力されている。制御装置４２の出力は、給湯混合弁２１、ふろ混合弁３１と、注湯弁３４に接続されている。制御装置４２は、給湯口が開けられ、給湯流量センサ２２からの検知信号を入力すると給湯混合弁２１が給湯を開始したことを検出すると、給湯温度がリモコン２４で設定された給湯温度設定になるように給湯混合弁２１を駆動制御する。また、制御装置４２は、給湯が停止されると、給湯混合弁２１による温度制御動作を停止し、給湯混合弁２１の作動を停止させる。
【００４０】
制御装置４２は、浴槽にふろ湯はりするとき、台所リモコン２４またはふろリモコン３５  からの信号によりふろ湯はり動作となると、注湯弁３４を開いて浴槽に対するふろ湯はりを開始し、ふろ給湯温度がふろリモコン３５で設定されたふろ温度設定になるようにふろ混合弁３１を駆動制御する。ふろ流量センサ３２からの検知信号を積算しふろリモコン３５で設定された積算流量に達すると、注湯弁３４を閉めふろ湯はりを完了する。
【００４１】
次に、図８のフローチャートを用いて制御装置４２の動作を説明すると、ふろ湯張りが始まり、処理６１でふろ流量センサ３２がＯＮすると、処理６２へ進みふろ混合弁３１をふろ出湯温度がふろリモコン３５で設定された設定温度となるよう開度を制御し、処理６３へ進む。ふろ湯張りが終了するとふろ流量センサの出力はＯＦＦとなり処理６３へ進む。処理６３では給湯流量センサ２３で給湯栓の開を検知すると、処理６４へ進み給湯混合弁２１を給湯温度が台所リモコン２４で設定された設定温度となるよう開度を制御し処理６５へ進む。給湯栓が閉となると給湯流量センサ２３の出力はＯＦＦとなり処理７２へ進む。処理６５では、同時使用かどうかを確認するためふろ流量センサ３２のＯＮ／ＯＦＦを判定し、ＯＮ時は処理６６へ進み同時使用時の条件判定処理を行い、ＯＦＦ時は同時使用で無いので処理を抜ける。処理６６、６７、６８は出湯条件を順次判定し、ふろ流量が所定流量以上で、かつふろ流量が所定温度以上で、かつ給湯流量が所定流量以下の場合のみ処理６９に進み、それ以外は処理７１へ進む。処理６９では時間を計測し所定時間以上であれば処理７０へ進み、処理７０でフラグＫＲを１にし、所定時間以内であれば処理を抜ける。処理７１では時間を計測し所定時間以上であれば処理７２へ進み、処理７２でフラグＫＲを０にし処理を抜ける。処理７１で所定時間以内であればそのまま処理を抜ける。処理７３では、ＫＲが１か０かを判定し、ＫＲ＝０であれば処理を抜け、ＫＲ＝１であれば処理７４に進み、給湯混合弁２１を所定の所定の開度にし処理７２に進む。したがって、同時出湯時に給湯流量センサが所定流量以下、風呂流量センサが所定流量以上、風呂湯張り温度センサが所定温度以上を所定時間継続して検出したとき、処理７０でフラグＫＲが１にセットされ、給湯流量センサがＯＮからＯＦＦの信号を発生すると、処理７３でフラグＫＲの値が１のため処理７４で給湯混合弁を所定の開度に変更でき、風呂湯張り回路に貯湯タンクの高温水が多く流れるような条件で同時使用された場合、給湯使用停止後に給湯混合弁の開度補正をすることで、次回給湯単独使用時の蛇口からの高温出湯を未然に防止することができる。また、予め設定した条件を満たしていると判断した後、処理７１で前記条件のうち１つでも外れた場合が所定時間継続すると、処理７２でフラグＫＲを０にするので、給湯流量センサがＯＮからＯＦＦの信号を発生しても処理７３の判定で処理を抜け、給湯混合弁の開度変更を行わない。したがって、風呂湯張り回路に貯湯タンクの高温水が多く流れるような条件で同時使用された場合でも途中で使用条件が変更された場合は、給湯使用停止後に給湯混合弁の開度補正を行わず、不必要な制御を省くことで、次回使用時の使い勝手の良さを確保しつつ、制御構成の簡素化を図ることができる。
【００４２】
給湯混合弁２１の所定開度については、実施の形態１と同様に５０％以下であれば６０℃を超えることは無い。
【００４３】
（実施の形態５）
図９は本発明の第５の実施の形態における制御手段のフローチャートである。実施の形態４で述べた部分と同じ部分は同一番号を付記して説明を省略し、異なる部分のみを説明する。
【００４４】
処理７３では、ＫＲが１か０かを判定し、ＫＲ＝０であれば処理を抜け、ＫＲ＝１であれば処理７５に進み、給湯混合弁２１の開度を確認し所定開度以上かどうかを判定し、所定開度以下であれば給湯混合弁２１の処理をせず抜けて行き、所定開度以上であれば処理７４に進み、給湯混合弁２１を所定の所定の開度にする。したがって、処理７５で給湯混合弁の開度を調べて安全な開度であれば動かさないので給湯混合弁の無駄な動きが少なくなり耐久性も向上し、かつ、実施の形態４と同様の効果を得ることができる。
【００４５】
（実施の形態６）
図１０は本発明の第６の実施の形態における制御手段のフローチャートである。実施の形態４で述べた部分と同じ部分は同一番号を付記して説明を省略し、異なる部分のみを説明する。
【００４６】
処理７３では、ＫＲが１か０かを判定し、ＫＲ＝０であれば処理を抜け、ＫＲ＝１であれば処理７６に進み、給湯混合弁２１を所定時間水側に駆動する。
【００４７】
したがって、現在の角度を確認したり、所定の角度を決めたりする処理が必要なく簡単な処理で、実施の形態４と同様の効果を得ることができる。
【産業上の利用可能性】
【００４８】
以上のように本発明にかかる貯湯式温水器は、給湯使用停止後、給湯混合弁の開度を水側に変更して、次回給湯使用時に、蛇口から予想外の高温水が出湯されないようにすることで、安全で使い勝手のよい貯湯式温水器を提供するもので、混合弁を利用して湯温制御を行う機器全般に適用できる。
【図面の簡単な説明】
【００４９】
【図１】本発明の実施の形態１における貯湯式温水器の構成図
【図２】同貯湯式温水器の制御ブロック図
【図３】同貯湯式温水器の制御フローチャート
【図４】本発明の実施の形態２における貯湯式温水器の制御フローチャート
【図５】本発明の実施の形態３における貯湯式温水器の制御フローチャート
【図６】本発明の実施の形態４における貯湯式温水器の構成図
【図７】同貯湯式温水器の制御ブロック図
【図８】同貯湯式温水器の制御フローチャート
【図９】本発明の実施の形態５における貯湯式温水器の制御フローチャート
【図１０】本発明の実施の形態６における貯湯式温水器の制御フローチャート
【符号の説明】
【００５０】
１１  貯湯タンク
２１  給湯混合弁
２２  給湯流量センサ
２３  給湯温度センサ
３１  風呂混合弁
３２  風呂流量センサ
３３  風呂湯張り温度センサ
３４  注湯弁
４１  制御装置
４１ａ  制御手段
４１ｂ  タイマー手段
４２  制御装置
【図１】
2005265369.tif 000003
【図２】
2005265369.tif 000004
【図３】
2005265369.tif 000005
【図４】
2005265369.tif 000006
【図５】
2005265369.tif 000007
【図６】
2005265369.tif 000008
【図７】
2005265369.tif 000009
【図８】
2005265369.tif 000010
【図９】
2005265369.tif 000011
【図１０】
2005265369.tif 000012